(57)【要約】【課題】エレベータの運転効率をより向上させた通過運転を実現する。【解決手段】かごの通過運転を指示する通過運転制御部と、ホール階側の呼びがあるかを判定する呼び判定部と、前回停止した階におけるかご内の積載と現在停止した階におけるかご内の積載に実質的な変化があるかを判定する変化判定部とを有する。変化判定部が実質的な変化なしと判定した場合、一定時間内に呼び判定部がかごの進行方向と同方向のホール側呼びがあると判定した場合、通過運転制御部はかごの通過運転を指示する。【選択図】図２
2014133641.tif 000002
【特許請求の範囲】
【請求項１】
かごが所定の条件下で乗場ホール側呼びがあってもその階を通過して、かご側呼びが指定する階まで直行する通過運転制御を行うエレベータ運転制御装置であって、
該かごが前回停止した階と現在停止した階の間でかご内の積載に実質的な変化がなく、現在の階を出発した後一定時間内にホール側呼びのうち該かごの進行方向と同方向の呼びがあっても、かごの通過運転制御を行うことを特徴とするエレベータ運転制御装置。
【請求項２】
請求項１に記載のエレベータ運転制御装置は、
該かごの通過運転を指示する通過運転制御部と、
ホール階側の呼びがあるかを判定する呼び判定部と、
前回停止した階におけるかご内の積載と現在停止した階におけるかご内の積載に実質的な変化があるかを判定する変化判定部とを有し、
該変化判定部が実質的な変化なしと判定した場合、一定時間内に該呼び判定部が該かごの進行方向と同方向のホール側呼びがあると判定した場合、該通過運転制御部はかごの通過運転を指示することを特徴とするエレベータ運転制御装置。
【請求項３】
請求項２に記載のエレベータ運転制御装置において、
前記変化判定部は、該かごに設置した荷重センサが検知した、前回の荷重値と今回の荷重値を比較することにより、かご内の積載の変化を判定する、
又は該かご内に設置したカメラによって取得された、該かご内の画像を処理して人数を算出することで、該かご内の積載の変化を判定する、
又は該かごのドア又はホール階側に設置された光センサによって検知された、該かごへの乗降者の変化を検知することで、該かご内の積載の変化を判定する
ことを特徴とするエレベータ運転制御装置。
【請求項４】
請求項２乃至３のいずれかの項に記載のエレベータ運転制御装置において、
該かごを呼びのある各階に停止させる通常運転を指示する通常運転制御部を有し、
該変化判定部が実質的な変化なしと判定した場合、一定時間内に該呼び判定部が該かごの進行方向と同方向のホール側呼びが無いと判定した場合、該通常運転制御部は該かごの通常運転指示を行うことを特徴とするエレベータ運転制御装置。
【発明の詳細な説明】
【技術分野】
【０００１】
本発明は、エレベータ運転制御装置に係り、特にエレベータの通過運転制御に関する。
【背景技術】
【０００２】
エレベータの運転制御の１つとしてかご満員時の通過運転がある。これは、乗客の重量が積載の閾値例えば８０％程度になった場合、それ以上かごに乗れない状態であると判断して新たな乗客の追加となるホール側の呼びには直行せず、乗客を降ろすかご呼びのみに直行する方式（通過運転方式）である。かごにこれ以上乗れない状態の時に満員通過運転を行うのは、各階床での無駄な停止を防げるので運転効率を向上させることができる。
【０００３】
しかし、例えば車いすの乗客や密度の低い荷物がかご内にある場合にはかごの占有面積が高くなり新たな乗客が乗り込めない。この場合には積載重量が閾値超過でないにも拘わらず、積載が閾値を超えていないために満員通過運転が行えず、運転効率の低下を招く。
【０００４】
このような課題を解決するため、特許文献１には、乗場に乗かごが停止する以前の積載荷重を記憶装置に記憶し、乗場に乗かごが走行したときの積載荷重と記憶装置に記憶された積載荷重とを比較し、積載変化がないとき通過運転を行なわせる荷重比較装置を備えて、かごの占有密度を測定せずに満員通過の指令を行なうエレベータの運転制御装置が開示されている。
【０００５】
これによって荷重に余裕がある場合でも、通過運転ができるので、かごの積載荷重に余裕があるが新たな乗客が乗れない状態にも拘わらず各階止まりが発生して運転効率が低下することが回避できる。
【先行技術文献】
【特許文献】
【０００６】
【特許文献１】特開平０６−１１５８３３号公報
【発明の概要】
【発明が解決しようとする課題】
【０００７】
一般に通過運転方式はホール側の乗客を運ぶことができないので、運転効率が低下してしまう。そのため、かごに積載の余力がある場合には不必要な通過運転はできるかぎり避けたい。
【０００８】
しかしながら、例えば子供がかごに乗る意思が無いにも拘わらずいたずらにホール側のボタンを押したり、或いはホール側のボタンを押したがホール側の乗客の気持ちが変って階段等で移動することに変えた場合にはホール側での呼びが生成する。その後乗客がホールから離れ或いは呼びは生成したが乗客がホールに居ない場合でも、かごは乗り場に停止する。しかし、かごが停止した前と後でその積載荷重が変化せず、特許文献１の技術では誤って満員通過運転を行ってしまう。
【０００９】
本発明の課題は、エレベータの運転効率をより向上させた通過運転制御を実現することにある。
【課題を解決するための手段】
【００１０】
本発明に係るエレベータの運転制御装置は、好ましくは、かごが所定の条件下で乗場ホール側呼びがあってもその階を通過して、かご側呼びが指定する階まで直行する通過運転制御を行うエレベータ運転制御装置であって、該かごが前回停止した階と現在停止した階の間でかご内の積載に実質的な変化がなく、現在の階を出発した後一定時間内にホール側呼びのうち該かごの進行方向と同方向の呼びがあっても、かごの通過運転制御を行うことを特徴とするエレベータ運転制御装置として構成される。
【００１１】
好ましい例によれば、上記エレベータ運転制御装置は、該かごの通過運転を指示する通過運転制御部と、ホール階側の呼びがあるかを判定する呼び判定部と、前回停止した階におけるかご内の積載と現在停止した階におけるかご内の積載に実質的な変化があるかを判定する変化判定部とを有し、該変化判定部が実質的な変化なしと判定した場合、一定時間内に該呼び判定部が該かごの進行方向と同方向のホール側呼びがあると判定した場合、該通過運転制御部はかごの通過運転を指示する。
【発明の効果】
【００１２】
本発明によれば、エレベータの運転効率をより向上した通過運転制御を実現できる。
【図面の簡単な説明】
【００１３】
【図１】乗りかご及び乗り場階から成るエレベータシステムの概略を示す図である。
【図２】一実施例（実施例１）におけるエレベータ制御装置の構成例を示すブロック図である。
【図３】一実施例におけるエレベータの運転制御動作を示すフローチャート図である。
【図４】一実施例のデジタルカメラで撮影した乗りかご内床面の概念図である。
【図５】一実施例の乗り場側から見た光センサおよびその照射状況を示す図である。
【発明を実施するための形態】
【００１４】
以下、図面を参照して本発明の一実施例を説明する。
【実施例１】
【００１５】
まず、図１を参照して、乗りかご及び乗り場階から成るエレベータシステムについて説明する。エレベータシステムは主に、かご１０、エレベータ制御装置１１、及び乗り場階のホールに設置されたホール呼びボタン１２Ａ〜１２Ｃ（総じて１２で示す）から構成される。
【００１６】
昇降路内にロープ１０７で吊られたかご１０内には、かご側呼びボタン１０２、カメラ１０３が設置され、その下部にはかご内の荷重を検知する荷重センサ１０４が設置される。かご側呼びボタン１０２の信号（呼び情報）はかご呼び通信装置１０６を介してエレベータ制御装置１１に転送される。また、荷重センサ１０４の検知信号（荷重値）は通信線１０５を介してエレベータ制御装置１１に転送される。
【００１７】
エレベータ制御装置１１は、かご側呼びボタン１０２からの信号及びホール側呼びボタン１２からの信号（呼び情報）に基づいて、最適な運転効率を実現するようにかご１０の運転制御を行う。エレベータ制御装置１１はまた、荷重センサ１０４からの検知信号に従って、かごの通過運転制御を行う。例えば、荷重センサ１０４がかご１０の定格積載荷重（例えば１０００ｋｇの８０％である８００ｋｇ）以上を検出すると、エレベータ制御装置１１は通過運転制御を行う。
エレベータ制御装置１１の出力信号はエレベータ基本運転制御装置（不図示）に転送され、このエレベータ基本運転制御装置によってかご１０の昇降制御を行なわれる。
【００１８】
エレベータ制御装置１１は、一種のコンピュータであり、メモリ１１２及びプログラムを実行するプロセッサ（不図示）を有していて、メモリ１１２は荷重センサ１０４で検知された荷重値を記憶する。また、プロセッサはプログラムを実行することで、上記の通過運転制御を行う。
【００１９】
図２は、エレベータ制御装置の制御ブロック図を示す。
エレベータ制御装置１１は、呼び判定部２０３と、荷重値制御部２０４と、メモリ１１２と、荷重変化判定部２０５と、通過運転制御部２０６と、通常運転制御部２０８を有する。ここで、メモリ１１２以外の各部の機能は、プロセッサでプログラムを実行することで実現される。
【００２０】
荷重値制御部２０４は、荷重センサ１０４で検知される荷重値１０４´をメモリ１１２に転送する。メモリ１１２は、予め決められた定格積載荷重値及び荷重センサ１０４で検知される荷重値１０４´を記憶する。
【００２１】
呼び判定部２０３は、ホール呼びボタン１２からのホール側呼び１２´及びかご側呼びボタン１０２からのかご側呼び１０２´を入力として、ホール側からの呼びか又はかご側からの呼びか判定し、ホール側からの呼びの場合呼びのあった階床を判定する。
【００２２】
荷重変化判定部２０５は、前回のかごの着床時からの荷重値の変化を判定する。前回の荷重値はメモリ１１２に格納されているので、メモリ１１２から読み出した前回の荷重値と今回着床した時に検知された荷重値１０４´とを比較して、その差が所定以上の場合、荷重値に変化があったと判定する。
【００２３】
荷重変化判定部２０５による荷重変化の判定の結果、荷重に変化が無いと判定された場合、通過運転制御部２０６は呼び階があってもその階を通過運転するように（通過運転モード）、エレベータ基本運転制御装置に指示する。通常運転制御部２０８は呼び階に停止するような通常運転（通常運転モード）を、エレベータ基本運転制御装置に指示する。
【００２４】
次に、図３のフローチャートを参照して、エレベータの運転制御動作について説明する。
例えば、Ａ階のホール側呼びボタン１２Ａでホール呼び１２´が生じてかごがその階に着床して、乗客Ｐ１がかご１０に乗込んで扉が閉まった（乗込み完了）とする（Ｓ３０１）。この時、かご１０内はホール側乗客Ｐ２がこれ以上乗りたくないと感じるほどの心理的満員の状態とする。またＢ階のホール側乗客Ｐ２がホール側呼びボタン１２Ｂを操作してかご呼びが生じているものとする。
【００２５】
乗客Ｐ１がかご１０に乗込み完了すると、荷重センサ１０４はかごの荷重値１０４´を検知して通信線１０５を介してエレベータ制御装置１１へ転送する。荷重値制御部２０４は、受信した荷重値１０４´をメモリ１１２に格納する（Ｓ３０２）。
【００２６】
そして、荷重変化判定部２０５は、受信した荷重値１０４´が、かご１０の定格積載荷重の８０％以上かを判定する（Ｓ３０３）。この判定の結果、８０％以上であれば、通過運転制御部２０６がエレベータ基本運転制御装置へ通過運転モードを指示する（Ｓ３０９）。かごは最寄りのかご呼び階に移動する（Ｓ６２）。一方、判定の結果、８０％以上でなければ、通常運転制御部２０８がエレベータ基本運転制御装置へ通常運転モードを指示し、エレベータ基本運転制御装置は、ホール呼び１２´が生じた最寄りの呼び階にかごを移動する（Ｓ６１）。
【００２７】
最寄りの呼び階（Ｂ階）に着床するとかごの扉を開き、その階のホールにいる乗客Ｐ２がかご１０に乗込めず扉が閉まる（Ｓ３０４）。そして、上記と同様にして、荷重センサ１０４はかごの荷重値１０４´を検知して通信線１０５を介してエレベータ制御装置１１へ転送し、荷重値制御部２０４は受信した荷重値１０４´をメモリ１１２に格納する（Ｓ３０５）。
【００２８】
そして、荷重変化判定部２０５は、受信した荷重値１０４´が、かご１０の定格積載荷重の８０％以上かを判定する（Ｓ３０６）。判定の結果、８０％以上であれば、通過運転制御部２０６がエレベータ基本運転制御装置へ通過運転モードを指示する（Ｓ３０９）。一方、判定の結果、８０％以上でなければ（Ｓ３０６：Ｎ）、荷重変化判定部２０５が、前回検知されてメモリ１１２に格納された荷重値と今回検知された荷重値とを比較する（Ｓ３０７）。この比較の結果、不一致であれば（即ち乗客の乗降があったとき）、通常運転制御部２０８は通過運転モードを指示し、エレベータ基本運転制御装置はかごを最寄りの階に移動する（Ｓ６３）。
【００２９】
一方、この比較の結果、一致であれば（即ち乗客の乗降がないとき）、呼び判定部２０３は、かごに乗れなかった乗客Ｐ２などによりＢ階から出発後の一定時間内にかごの最終着床からの移動と同方向のホール側呼びがあるか（即ちホール側の呼びボタン１２Ｂが再登録された）を確認する（Ｓ３０８）。この確認の結果、同方向のホール側呼びが無ければ、通常運転制御部２０８が通常運転モードを指示する（Ｓ６３）。
この確認の結果、同方向のホール側呼びがあれば、通過運転制御部２０６が通過運転モードを指示する（Ｓ６２）。
【００３０】
なお、通過運転判断部２０６による乗り過ごし判定は、ホール側乗客が１回ないし複数回乗り過すことで判定する検知後に通過運転の指令をエレベータ基本制御装置へ送っても良い。その結果、例えばＣ階で呼びボタン１２Ｃが生じた場合であっても、かご側の呼び１０２を優先してＣ階を通過する。この通過運転は、かご１０の荷重センサの値がメモリ１１２に格納された、前回の荷重値と今回の荷重値との間に有意な差が出るまで継続して、有意な差が出た場合（乗客の乗降があった場合）、呼び判定部２０３がホール側呼び１２´にも応答するように制御する。それまでは通過運転制御部２０６はエレベータ基本制御装置へ通過運転指示を送る。
【実施例２】
【００３１】
実施例２は、かご１０にＶＩＰが乗っている場合など、同じかごに相乗りしたくない乗客がかご１０内にいる場合にも拘わらず各階に止まって運転効率を下げるという課題を解決するものである。
【００３２】
この場合も実施例１と同様に、メモリ１１２に格納された前回検知された荷重値と、荷重センサ１０４が検知した現在の荷重値を比較して、荷重変化判定部２０５が両者に有意な差がないと判断し、かつ呼び判定部２０３がかご進行方向と同方向のホール側呼びボタン１２によるホール側呼び１２´を検出すると、通過運転制御部２０６が通過運転の指示をエレベータ基本制御装置（不図示）に送る。この場合、かごの荷重値が所定値以上であるか否かに拘わらず行われる。
通過運転制御部２０６による乗り過ごし判定は、ホール側乗客が１回ないし複数回乗り過ごすことを検知することで、通過運転制御部２０６から通過運転の指示エレベータ基本制御装置へ送信する。
【実施例３】
【００３３】
実施例１では、荷重センサ１０４によって検知される荷重値を用いてかご１０の積載変化を判断した。
これに代わって、実施例３では、かご１０の天井付近にカメラ１０３を設置し、このカメラで取得したデジタル画像をエレベータ制御装置１０のプロセッサで解析して、かご１０内の床占有面積４０１の変化を計算することで、かご１０の積載変化を測定することができる。
【００３４】
更に他の例として、図４に示すように、カメラ１０３で取得したかご内の画像４０１に対してエレベータ制御装置１０のプロセッサの処理によってハフ変換を実施し、円形（Ｐ１−Ａ〜Ｐ１−Ｃ）の個数（即ちかご内の人の数）を測定し、その個数の変化により乗客の変化を測定するこができる。
【００３５】
更に他の例として、図４に示すように、かご側ドア４２とホール側ドア４３の間に光学センサ４４を配置して、この光センサ４４によってかご１０に出入りする乗客の変化を計測することで、乗客の変化を測定するこができる。
【００３６】
上記のように測定された、かご１０内の乗客の変化は荷重変化判定部２０５による判定と同様に、変化ありと判定すれば、通常運転制御部２０８による制御、変化無しと判定すれば、通過運転制御部２０６による制御を行うことができる。
【実施例４】
【００３７】
実施例１では、荷重センサ１０４を用いてかごの積載変化を把握した。
これに代わって、実施例４では、図４のかご側ドア４２とホール側ドア４３の間に配置した光学センサ４４の検知信号と、図５に示すホール側ドアの上部に設置した光センサ５０１の検知信号を用いることによって、乗客の乗降（かご内の人の変化）を検知することができる。光センサ５０１はその照射領域５０３に人がいるかを検知する。
【００３８】
即ち、人変化判定部（荷重変化判定部２０５に対応する）は、ドアの間に取付けられた光センサ４４からの信号で人を先に検知して、その後にドア上部の光センサ５０１からの信号で人を検知すると、かご内の乗客が一人降りたと判断する。逆に、光センサ５０１からの信号で人を先に検知してその後に光センサ４４からの信号で人を検知した場合、かごに乗客が１人乗ったと判断する。このようにして、かご内の乗客の数の変化を測定することができる。このようにして、かご内の人数に変化無しと判断した場合、通過運転制御部２０６による制御を行うことができる。
【００３９】
以上説明したように、本発明の上記実施例によれば、かごの積載変化、人数変化に加えて、かごに乗らないと判断したホール側の乗客が、かごが出発後に再び生成したホール側の呼びを検知することで、精度の高い通過運転を行うことができ、運転効率を向上させることができる。
【００４０】
例えば、ホール側でいたずら呼びが発生した場合でも、ホールに乗客が居ないため、かごが出発した後にホール側の呼びが生成されないので、いたずら呼びによる誤判定は排除でき、不必要な通過運転を防ぐことができる。また、荷重の絶対値で判定せずにその場の乗客の判断に基づく通過指示を行えるために、適切に通過運転を行うことができる。
【符号の説明】
【００４１】
１０：かご          １０２：かご側呼びボタン  １０３：カメラ  
１０４：荷重センサ  １０５：通信線            １０６：通信装置  
１１：エレベータ制御装置      １１２：メモリ
１２：ホール側呼びボタン      Ｐ１:かご内の乗客  Ｐ２:ホール側の乗客
１２´：ホール側呼び    １０２´：かご側呼び    １０４´：荷重値
２０３：呼び判定部      ２０４：加重値制御部    ２０５：加重変化判定部  
２０６：通過運転判定部  ２０８：通常運転制御部
【図１】
2014133641.tif 000003
【図２】
2014133641.tif 000004
【図３】
2014133641.tif 000005
【図４】
2014133641.tif 000006
【図５】
2014133641.tif 000007